(57)【特許請求の範囲】
【請求項１】
予め定められた記録領域であるデータ領域、スペア領域および欠陥リストを有する情報記録再生媒体に対して情報を記録再生するための情報記録再生装置において、
発生した欠陥を記録再生の単位であるセクタ単位で管理する手段を有し、
正常なセクタを意図的に欠陥登録することにより、不正コピーされた情報記録再生媒体であるか否かを判断し、前記欠陥登録する情報記録再生媒体上のセクタの位置を、欠陥登録数に基づいて求めることを特徴とする情報記録再生装置。
【請求項２】
欠陥登録数に基づいて求めた、正常なセクタを意図的に欠陥登録する情報記録再生媒体上の位置が、欠陥が連続する部分であった場合に、欠陥が不連続となる部分まで意図的に欠陥登録するセクタの位置を移動させることを特徴とする請求項１記載の情報記録再生装置。
【請求項３】
予め定められた記録領域であるデータ領域、スペア領域および欠陥リストを有する情報記録再生媒体において、
発生した欠陥を記録再生の単位であるセクタ単位で管理する手段により、正常なセクタを意図的に欠陥登録する媒体上のセクタの位置を、欠陥登録数に基づいて求めることを特徴とする情報記録再生媒体。
【請求項４】
欠陥登録数に基づいて求めた、正常なセクタを意図的に欠陥登録する情報記録再生媒体上の位置が、欠陥が連続する部分であった場合に、欠陥が不連続となる部分まで意図的に欠陥登録するセクタの位置を移動させたことを特徴とする請求項３記載の情報記録再生媒体。
【請求項５】
請求項１又は２記載の情報記録再生装置内に装入された情報記録再生媒体に対して、コピーが禁止されているか否かを判断し、コピーが禁止されていると判断した場合に、意図的に欠陥登録されたセクタを検査するためのコマンドを発行することを特徴とする情報記録再生装置のホスト装置。
【発明の詳細な説明】
【０００１】
【発明の属する技術分野】
本発明は、情報記録再生装置、これに使用する情報記録再生媒体、および情報記録再生装置のホスト装置に関し、特に、光ディスク等の情報記録再生媒体に生じた欠陥を管理する方法を利用して不正コピーを防止することが可能な情報記録再生装置、これに使用する情報記録再生媒体、および情報記録再生装置のホスト装置に関するものである。
【０００２】
【従来の技術】
近年、オーディオやビデオなどのデジタルコンテンツを記録再生するための情報記録再生媒体と、この情報記録再生媒体にデジタルコンテンツを記録するとともに、記録されたデジタルコンテンツを再生するための情報記録再生装置に関する技術が急速に発展してきた。
これに伴い、著作物としてのデジタルデータの複製が問題とされるようになり、不正コピーを防止するためのコピープロテクション技術が用いられるようになってきた。
特に、最近の高度なコピープロテクション技術を用いた例としては、ＤＶＤビデオディスクがあり、このＤＶＤビデオディスクには、複雑な暗号化技術が利用されている。
【０００３】
【発明が解決しようとする課題】
このように、ＤＶＤビデオディスクの複雑な暗号化システムは、不正コピーに対して有効に機能している。
しかしながら、高度な暗号化を実現するためには、システムが複雑化して起動に長時間を要するという問題があった。また、コピープロテクト処理のためのハードウェアやソフトウェアが必要となり、コストアップにつながるという問題もあった。
【０００４】
本発明は、前述した事情に鑑み提案されたもので、情報記録再生媒体に対して、複雑な暗号化システムを用いることなく、簡単かつ強力に不正コピーを防止することが可能な情報記録再生装置、これに使用する情報記録再生媒体、および情報記録再生装置のホスト装置を提供することを目的とする。
【０００５】
【課題を解決するための手段】
本発明の情報記録再生装置、これに使用する情報記録再生媒体、および情報記録再生装置のホスト装置は、前述した目的を達成するため、以下の特徴点を備えている。
【０００６】
すなわち、本発明の情報記録再生装置は、予め定められた記録領域であるデータ領域、スペア領域および欠陥リストを有する情報記録再生媒体に対して情報を記録再生するための情報記録再生装置において、
発生した欠陥を記録再生の単位であるセクタ単位で管理する手段を有し、正常なセクタを意図的に欠陥登録することにより、不正コピーされた情報記録再生媒体であるか否かを判断することを特徴とするものである。
【０００７】
この情報記録再生装置において、正常なセクタを意図的に欠陥登録する情報記録再生媒体上のセクタの位置を、欠陥登録数に基づいて求めることが好ましい。
【０００８】
また、欠陥登録数に基づいて求めた、正常なセクタを意図的に欠陥登録する情報記録再生媒体上の位置が、欠陥が連続する部分であった場合に、欠陥が不連続となる部分まで意図的に欠陥登録するセクタの位置を移動させることが好ましい。
【０００９】
本発明の情報記録再生媒体は、予め定められた記録領域であるデータ領域、スペア領域および欠陥リストを有する情報記録再生媒体において、
発生した欠陥を記録再生の単位であるセクタ単位で管理する手段により、正常なセクタを意図的に欠陥登録したことを特徴とするものである。
【００１０】
この情報記録再生媒体において、正常なセクタを意図的に欠陥登録する情報記録再生媒体上のセクタの位置を、欠陥登録数に基づいて求めることが好ましい。
【００１１】
また、欠陥登録数に基づいて求めた、正常なセクタを意図的に欠陥登録する情報記録再生媒体上の位置が、欠陥が連続する部分であった場合に、欠陥が不連続となる部分まで意図的に欠陥登録するセクタの位置を移動させることが好ましい。
【００１２】
本発明の情報記録再生装置のホスト装置は、前記情報記録再生装置内に装入された情報記録再生媒体に対して、コピーが禁止されているか否かを判断し、コピーが禁止されていると判断した場合に、意図的に欠陥登録されたセクタを検査するためのコマンドを発行することを特徴とするものである。
【００１３】
【発明の実施の形態】
以下、図面に基づいて、本発明に係る情報記録再生装置、これに使用する情報記録再生媒体、および情報記録再生装置の実施形態を説明する。
【００１４】
図１は、本発明の一実施形態に係る情報記録再生装置およびそのホスト装置を示すブロック図である。
本発明の実施形態に係る情報記録再生装置およびそのホスト装置は、図１に示すように、情報記録再生媒体として着脱可能な光ディスク１を用いるものであり、ホスト装置１０からのリード／ライト等の命令、コマンド実行結果を示すステータス、およびその他のデータの送受信を行うためのホストＩ／Ｆ制御部９と、この光ディスク記録再生装置の動作を制御するためのシステムコントロールマイコン８と、誤り訂正符合を付加したり、誤り訂正を検出するためのＥＣＣ回路７と、このＥＣＣ回路７のワーク領域であるＥＣＣ用メモリ６と、記録再生データを格納するための記録再生バッファ５と、光ディスク１に対してデータの記録再生を行うための記録再生ヘッド２と、光ディスク１のサーボ制御を行うためのサーボ制御部３と、サーボ制御部３と連携しながら、光ディスク１に対してデータを記録再生するためのデータ変復調部４とを備えて構成されている。
【００１５】
本実施形態では、光ディスク１の誤り訂正の最小単位を１ＥＣＣブロックと呼ぶ。ホスト装置１０が管理しているデータの最小単位は、図２に示すように、誤り訂正の最小単位である１ＥＣＣブロックよりも小さく、１ＥＣＣブロックの１／１６のサイズである。これを１セクタと呼ぶ。セクタには、光ディスク１上で一意に識別されるアドレスが割り振られている。
【００１６】
ホスト装置１０からのリード／ライトコマンドにより、光ディスク１上においてリード／ライトを行いたい開始位置と、リード／ライトを行いたいデータのサイズが指定される。
ホスト装置１０が管理しているデータの最小単位は１セクタであるため、光ディスク１に対して記録再生を行うことができるのは、１ＥＣＣブロック単位であるにもかかわらず、ホスト装置１０からのリード／ライト等のコマンドは、開始位置もデータのサイズもＥＣＣブロックと無関係にセクタ単位で指定されることになる。
【００１７】
記録再生バッファ５は、データを一時的に格納するためのＲＡＭであり、光ディスク１の記録再生速度とホスト装置１０のデータ転送速度との差を吸収する。
記録再生バッファ５の一部は、管理情報の格納にも利用され、光ディスク１上のＤＭＡを一時的に格納する。
また、システムコントロールマイコン８は、光ディスク１上に存在するＤＭＡ等の管理情報を読み出して、記録再生バッファ５に格納し、新たに欠陥セクタを検出した場合などに、光ディスク１上の管理情報であるＤＭＡの内容を更新して、欠陥管理を行っている。
【００１８】
次に、本実施形態で用いる光ディスク１の構造を説明する。
図３は、光ディスク１の構造を示す模式図である。
光ディスク１は、図３に示すように、その内周より外周に向かって、バンド０からバンド１９という２０個の領域に区切られている。最内周のバンド０と最外周のバンド１９には、この光ディスク１に記録するために最適なレーザーパワーの出力を求めるための基準値等、記録再生に必要な情報が格納されているＣｏｎｔｒｏｌ  Ｔｒａｃｋと、このＣｏｎｔｒｏｌ  Ｔｒａｃｋに格納された基準レーザーパワーを用いて実際に光ディスク１に記録再生を試みることにより、レーザーパワーの出力値を微調整するためのＢｕｆｆｅｒ  Ｔｒａｃｋが設けられている。
【００１９】
バンド１とバンド１８には、欠陥管理を行うためのＤＭＡ領域が合計４箇所に設けられている。これらのＤＭＡ領域では、ＤＭＡ領域自身に欠陥が発生した場合に備え、４箇所とも同一のデータが複製して記録されている。ＤＭＡ領域中には、光ディスク１の定義構造を示したＤＤＳ、１次欠陥リスト（ＰＤＬ）および２次欠陥リスト（ＳＤＬ）の領域が含まれている。
【００２０】
ＰＤＬの先頭には、ＰＤＬ領域であることを示すＩＤと、登録されているＰＤＬエントリの数と、欠陥セクタアドレスを示すＰＤＬエントリが登録されている。このＰＤＬエントリは、セクタアドレスの昇順で登録されている。
ＳＤＬの先頭には、ＳＤＬ領域であることを示すＩＤと、登録されているＳＤＬエントリの数と、欠陥アドレスと代替アドレスの関係を示すＳＤＬエントリが登録されている。このＳＤＬエントリは、欠陥アドレスの昇順で登録されている。
【００２１】
バンド２からバンド１７は、データを記録再生するための書き換え可能な領域で、各バンド毎に発生した欠陥を代替するためのスペア領域が用意されている。
光ディスク１を情報記録再生装置に装入すると、情報記録再生装置内のＲＡＭ（記録再生バッファ５の一部）にＤＭＡ構造がロードされる。この瞬間に、システムコントロールマイコン８は、欠陥数を知ることができる。
【００２２】
次に、本実施形態で使用する欠陥管理方法について簡単に説明する。
従来の磁気光ディスク等では、光ディスク１上の特定の場所に予め代替領域を設けておき、欠陥などによってデータの書き込みエラーが発生した場合に、その代替領域にデータを記録することにより欠陥を管理していた。
最近の大容量の光ディスク１等でもこの欠陥管理方法が用いられており、リニアリプレースメントアルゴリズムと呼ばれている。この欠陥管理方法を実現するために、光ディスク１の特定の位置に、欠陥のあるセクタ位置と代替先のセクタ位置の関係を示す欠陥管理テーブル（ＳＤＬ）が設けられている。
【００２３】
また、この欠陥管理方法とは別に、セクタスリッピングアルゴリズムという欠陥管理方法もある。
この欠陥管理方法では、光ディスク１のフォーマット時に、光ディスク１全体を再生してみて、どのセクタに欠陥があるかを検査し、欠陥セクタの位置を欠陥管理テーブル（ＰＤＬ）に登録しておくサーティファイと呼ばれる作業を行う。
【００２４】
データの記録再生時には、図４に示すように、この欠陥セクタをずらした形でＥＣＣブロックが構成される。また、一度データを記録してしまうと、このＥＣＣブロックの区切りは変更できなくなるため、フォーマット後の光ディスク１において、記録再生時に新たに発生した欠陥は、この欠陥管理方法では登録することができない。この場合には、前述したリニアリプレースメントアルゴリズムを用いて欠陥を登録することになる。
しかしながら、このリニアリプレースメントアルゴリズムは、記録エラーが発生した際や、ＳＤＬに登録されたセクタを再生する際に、代替領域まで記録再生ヘッドを往復移動させなければならない。
【００２５】
ビデオや音楽などのようにリアルタイム性が要求されるストリームデータの場合は、高い実効転送レートを維持するために、ヘッドの移動は極力避けなければならない。
したがって、動画などのストリーム系のデータを記録再生する場合は、リニアリプレースメントアルゴリズムは使用せずに、セクタスリッピングアルゴリズムのみに頼ることが多い。前述したように、リニアリプレースメントアルゴリズムは、フォーマット後に発生した欠陥に対して対応できないため、ストリーム系データに対しては、欠陥によるある程度のデータの欠損は許容することになる。しかしながら、ある程度のデータの欠損を許容したとしても、画面や音声が瞬間的に乱れるだけに留まるので、さほど問題とはならない。
【００２６】
一方、光ディスク１上の管理情報の記録再生においては、データが正確に記録再生可能とされることが絶対条件である。この場合は、リアルタイム性を要求されるわけではないので、セクタスリッピングアルゴリズムに加えて、リニアリプレースメントアルゴリズムも用いている。
【００２７】
本実施形態では、上記２種類の欠陥管理方法のうち、セクタスリッピングアルゴリズムを利用して、コピープロテクションを行っている。
前述したように、セクタスリッピングアルゴリズムにおいては、欠陥セクタの管理はＰＤＬを用いて行う。すなわち、図４に示すように、ＰＤＬに登録されたセクタは、飛ばされてＥＣＣブロックを構成することになる。
本実施形態では、このＰＤＬに対して、欠陥ではない正常なセクタを意図的に登録することにより、通常の方法では読み出すことのできないセクタを埋め込む。このように、意図的に登録され、通常の方法では読み出すことができないセクタを隠しセクタと呼ぶ。
【００２８】
図５は、複製が禁止された光ディスクを再生する様子を示す説明図である。図５に示す光ディスクでは、正常なセクタを意図的にＰＤＬに登録している。
本実施形態で用いるコピープロテクションにおいて、隠しセクタの内容は、直後の正常なセクタと同一の内容が記録されている。図５に示す例では、隠しセクタの内容は、直後に位置するセクタ４と同一である。
【００２９】
通常、この隠しセクタを含むＥＣＣブロック部分を再生すると、セクタスリッピングアルゴリズムによりＰＤＬに登録されたセクタが飛ばされて、正常にＥＣＣブロックが再生できる。
ホスト装置１０より、隠しセクタの存在を検査するように要求があると、情報記録再生装置は、ＰＤＬのエントリの一つとして登録してある隠しセクタの代わりにその次のセクタを欠陥として飛ばして再生してみる。
【００３０】
不正コピーでないオリジナルの光ディスク１では、この隠しセクタは、直後の正常なセクタと同一の内容が記録されているので、直後の正常なセクタを欠陥セクタとして飛ばして再生したとしても、正常なＥＣＣブロックとして再生することができる（図５参照）。
ところが、不正コピーした光ディスク１では、図６に示すように、隠しセクタが存在しないので、直後のセクタの代わりに隠しセクタを再生してもＥＣＣエラーとなってしまう。
これを利用し、不正コピーした光ディスク１と、オリジナルの光ディスク１とを峻別することができる。
【００３１】
なお、図５に示す光ディスク１の構成と、図６に示す光ディスク１の構成とでは、ＰＤＬエントリＮおよびＮ＋１のセクタ位置が異なっている。これは、欠陥セクタの発生位置が、光ディスク１毎に異なっているためである。
【００３２】
次に、隠しセクタの位置の計算方法について説明する。
隠しセクタの位置を固定してしまうと、第三者によってコピープロテクトを破られる可能性が高くなるため、本実施形態では、下記の式に基づいて求めたエントリ番号を基準として、光ディスク１毎に隠しセクタの位置を変更している。
【００３３】
ＰＤＬエントリ番号＝（ＰＤＬエントリ数×ｋ）を整数化した値・・・（１）
ただし、（０＜ｋ＜１：本実施形態では、ｋ＝０．２を用いる）
隠しセクタの位置を決定するには、上記式（１）に基づいて求めたＰＤＬエントリ番号よりも後方に存在し、そのアドレスの前後１セクタが正常であるセクタを探し、そのエントリ番号に登録されたアドレスを隠しセクタとする。
【００３４】
ところで、全ての通常のＰＤＬエントリの後方に隠しセクタを置くようにすれば、単純に隠しセクタの位置を決めることができる。しかしながら、隠しセクタを通常の欠陥セクタの中に紛れ込ませた方が、セクタ位置を求める方法が複雑となり、より不正コピー防止の効果を高めることができる。
【００３５】
情報記録再生装置が起動されると、システムコントロールマイコン８は、光ディスク１が装着されているか否かを確認し、光ディスク１が装着されていれば、光ディスク１上のＤＭＡ領域を読み込み、その中のＤＤＳの内容を調べる。
ＤＤＳから光ディスク１がフォーマットされていることが確認されたら、次にＰＤＬに登録された欠陥セクタの数を取得する。
【００３６】
ここで、ＰＤＬに登録された欠陥セクタの登録数が「３２」であるとし、隠しセクタ位置を決定する係数ｋの値を「０．２」とする。
上記式（１）にこれらの値を代入すると、式（１）の値が「６」となるので、隠しセクタの位置は、ＰＤＬに登録された７番目のエントリ６に登録されたアドレスとなる。このアドレスを（Ａ）とする。
【００３７】
情報記録再生装置は、ホストインターフェースコマンドの一つとして、隠しセクタ検査コマンドを有しており、情報記録再生装置がホスト装置１０から当該コマンドを受け取ると、隠しセクタ位置を含むＥＣＣブロックを前述した方法を用いて検査して、結果をホスト装置１０に返す。
【００３８】
次に、不正コピーのチェック方法を説明する。
情報記録再生装置が、単独で、隠しセクタが存在しない光ディスク１を不正コピーされた光ディスク１とみなしてアクセスを禁止してしまうと、ユーザーが通常に記録したコピーフリーの光ディスク１まで再生できなくなってしまう。
したがって、不正コピーされた光ディスク１をチェックする必要があるか否かは、ホスト装置１０が判断しなければならない。
このため、光ディスク１内のファイルの種類や内容を管理するテーブル（これをアプリケーション管理情報と呼ぶ）の一部に、光ディスク１のコピーを許可しているか否かを示す部分を設けておく。
【００３９】
ホスト装置１０は、情報記録再生装置の起動が完了すると、アプリケーション管理情報を読み込み、この中のコピー許可フラグを調べる。
ここで、コピーが許可されていれば、そのまま、データの記録再生を続けることができる。しかし、コピーが禁止されている内容であると判断した場合には、ホスト装置１０から情報記録再生装置に対して、隠しセクタ検査コマンドを発行して、隠しセクタの存在を確認するよう要求する。
【００４０】
情報記録再生装置は、上述した式（１）に基づいて求めた位置に隠しセクタが存在しているか否かを確認し、結果をホスト装置１０に返す。これにより、ホスト装置１０は、装着されている光ディスク１が不正コピーしたものか否かを判別することができる。
不正コピーした光ディスク１であることが判明した場合には、それ以上のその光ディスク１に対するアクセスはできなくなる。この場合、ホスト装置１０に液晶表示装置等からなる表示部を設けておき、当該表示部に不正コピーされた光ディスク１であるためアクセスが禁止された旨の警告を表示することができる。
【００４１】
なお、本実施形態では、ホスト装置１０において、光ディスク１がコピーを許可されたものであるか否かを認識する手段は特に規定しておらず、どのような手段を用いてもよい。
【００４２】
情報記録再生装置は、ホスト装置１０からの指示により、要求された光ディスク１上の位置にデータを読み書きするだけであり、データの内容には関知しない。
データの内容を認識するのは、情報記録再生装置からデータを受け取ったホスト装置１０であるため、コピー可否の情報は必ずしもアプリケーション管理情報の中に存在させる必要はない。
コピー可否の情報をアプリケーション管理情報の一部に埋め込んだ場合には、第三者にその場所が特定されてしまうと、意図的にコピー許可された光ディスク１を装う改変がなされるおそれがある。このような不都合を防止するために、データ本体の一部にコピー可否の情報を埋め込む等の方法を採用してもよい。
【００４３】
コピーを禁止されている光ディスク１の複製をファイル単位で試みた場合、コピーして出来上がった光ディスク１にはコピー禁止情報も複製されてしまうので、その光ディスク１の内容に対応したホスト装置１０で、不正コピーした光ディスク１にアクセスしようとしても、上述したように隠しセクタ検査コマンドがホスト装置１０から発行されてしまうので、使用することはできない。
【００４４】
次に、コピーを禁止した光ディスク１の作成手順について説明する。
コピーを禁止した光ディスク１は、通常の情報記録再生装置では作成することができず、通常の情報記録再生装置に隠しセクタを埋め込むことができる機能を付加した装置を用いて作成する。これは、光ディスク１の製造業者用の装置であり、一般のユーザーは入手できないようになっている。
隠しセクタは、光ディスク１のフォーマット時にしか埋め込むことができないため、不正コピーした光ディスク１に対して後から隠しセクタを付加することは、製造業者用の装置でも行うことはできない。
【００４５】
図７に基づいて、コピーを禁止した光ディスク１の作成手順を説明する。
コピーを禁止した光ディスク１を作成するには、図７に示すように、まず、通常の場合と同様に光ディスク１全体のサーティファイを行う（Ｓ１）。
次に、ＰＤＬに登録されたエントリ総数を取得し（Ｓ２）、上述した計算式（１）に基づいて隠しセクタ位置の基準となるエントリ番号Ｎを求める（Ｓ３）。
次に、エントリ番号Ｎに登録された欠陥アドレスとＮ＋１に登録された欠陥アドレスとの間に、３セクタ以上の隙間が存在するか否かを判断する（Ｓ４）。
ここで、３セクタ以上の隙間が存在する場合には、エントリ番号Ｎに登録されたセクタアドレスに「２」を加えたアドレスを隠しセクタとする（Ｓ５）。
【００４６】
ところで、図８に示すように、エントリＮに登録されたセクタアドレス付近に欠陥が集中している場合に、エントリＮより後ろに発見された最初の３セクタ以上の隙間を隠しセクタにしてしまうと、図９に示す位置が隠しセクタになってしまう。
情報記録再生装置は、エントリＮの登録アドレスより後方に存在し、前後１クラスタが正常である最初のアドレスが登録されているエントリを、隠しセクタのアドレスと判断する。したがって、図９に示すように隠しセクタを登録すると、実際には、（Ａ）で示すセクタ位置を隠しセクタであると判断してしまう。
【００４７】
このような不都合を防ぐために、図８に示すように、エントリＮに登録されたセクタから、最初の３セクタ以上の隙間までの間の１セクタと２セクタの隙間は、正常なセクタであっても欠陥セクタとして登録すればよい。
すなわち、図７において破線で囲んだように、エントリ番号Ｎに登録された欠陥アドレスとＮ＋１に登録された欠陥アドレスとの間に、３セクタ以上の隙間が存在しない場合には、ＰＤＬエントリＮの欠陥とＮ＋１の欠陥との間に１セクタ以上の隙間が存在するか否かを判断し（Ｓ１０）、１セクタ以上の隙間が存在する場合には、エントリＮに登録された欠陥の直後の正常セクタをエントリＮ＋１として欠陥登録する（Ｓ１１）。
【００４８】
こうして、Ｎに「１」を加算しながら（Ｓ１２）、３セクタ以上正常なセクタが連続する部分を発見できたら、そのエントリ番号Ｎに登録されたセクタアドレスに「２」を加えたアドレスを隠しセクタとして（Ｓ５）、エントリＮ十１に登録する（Ｓ６）。
その後、この光ディスク１に本来記録すべき内容を記録する（Ｓ７）。
内容の記録が完了したら、隠しセクタを含むＥＣＣブロックを読み出し（Ｓ８）、隠しセクタを欠陥とする代わりに直後のセクタを欠陥として、ＥＣＣブロックを記録する（Ｓ９）。
以上の手順により、隠しセクタを埋め込んでコピーを禁止した光ディスク１を作成することができる。
【００４９】
なお、本実施形態において、隠しセクタアドレスは、エントリＮに登録されたアドレスに「２」を加えたアドレスとしたが、エントリＮに登録されたアドレスとエントリＮ＋２に登録されたアドレスに４セクタ以上の隙間がある場合には、前後を正常なセクタで挟むという条件を満たせば、隠しセクタアドレスをランダムなものとしてもよい。
【００５０】
【発明の効果】
以上説明したように、本発明の情報記録再生装置、これに使用する情報記録再生媒体、および情報記録再生装置のホスト装置によれば、欠陥管理手段を利用していながら、欠陥管理手段の作用を何ら妨げていないため、情報記録再生媒体および情報記録再生装置の規格に対して、不正コピーの防止に関する規定がなされていない場合であっても、不正コピーを防止するための手段として利用することができる。
【００５１】
また、既に規格化されている情報記録再生媒体に対しても、本発明を応用することができる。
【図面の簡単な説明】
【図１】本発明の一実施形態に係る情報記録再生装置およびホスト装置の概略構成を示すブロック図である。
【図２】ＥＣＣブロックとセクタとの関係を示す説明図である。
【図３】光ディスクの構成を示す模式図である。
【図４】スリッピングとＥＣＣブロックの関係を示す説明図である。
【図５】複製が禁止された光ディスクを再生する様子を示す説明図である。
【図６】不正コピーされた光ディスクを再生する様子を示す説明図である。
【図７】コピーを禁止した光ディスクの作成手順を示すフローチャートである。
【図８】エントリＮに登録された欠陥の直後に３セクタ以上隙間がない場合を示す説明図である。
【図９】隠しセクタ位置誤検出の対策をしない場合を示す説明図である。
【図１０】隠しセクタ位置誤検出の対策をした場合を示す説明図である。
【符号の説明】
１  光ディスク
２  記録再生ヘッド
３  サーボ制御部
４  データ変復調部
５  記録再生バッファ
６  ＥＣＣ用メモリ
７  ＥＣＣ回路
８  システムコントロールマイコン
９  ホストＩ／Ｆ制御部
１０  ホスト装置
【図１】
0003618663.tif 000002
【図２】
0003618663.tif 000003
【図３】
0003618663.tif 000004
【図４】
0003618663.tif 000005
【図５】
0003618663.tif 000006
【図６】
0003618663.tif 000007
【図７】
0003618663.tif 000008
【図８】
0003618663.tif 000009
【図９】
0003618663.tif 000010
【図１０】
0003618663.tif 000011